(57)【特許請求の範囲】
【請求項１】
廃水処理システムにおける排水処理方法であって、
高分子有機物を含む廃液を第１の熱交換手段で加熱し、
前記第１の熱交換手段で加熱された廃液中の前記高分子有機物を有機酸に分解し、
前記有機酸を自己造粒菌と反応させてバイオガスと処理水を生成するとともに、前記バイオガスと前記処理水を前記自己造粒菌から分離し、
前記バイオガスをエネルギー源として発電手段に送り、
前記処理水を排水する前に第２の熱交換手段で加熱し、
前記第２の熱交換手段で加熱された処理水を加熱側流体として前記第１の熱交換手段に供給して排水する一方、前記発電手段で得られる熱水を加熱側流体として前記第２の熱交換手段に供給して前記発電手段に戻し、
前記発電手段で発電された電力は、前記排水処理システム内で使用することを特徴とする排水処理方法。
【請求項２】
高分子有機物を含む廃液を加熱する第１の熱交換手段と、
前記第１の熱交換手段で加熱された廃液中の前記高分子有機物を有機酸に分解する酸生成手段と、
前記酸生成手段で生成された有機酸を自己造粒菌と反応させてバイオガスと処理水を生成するとともに、前記バイオガスと前記処理水を前記自己造粒菌から分離する嫌気性処理手段と、
前記嫌気性処理手段で分離されたバイオガスをエネルギー源として発電する発電手段と、
前記嫌気性処理手段で分離された処理水を排水する前に加熱する第２の熱交換手段とを備えた排水処理システムであって、
前記第２の熱交換手段で加熱された処理水を前記第１の熱交換手段の加熱側流体とし、前記発電手段で得られる熱水を前記第２の熱交換手段の加熱側流体とし、
前記発電手段で発電された電力は、前記排水処理システム内で使用されることを特徴とする排水処理システム。
【請求項３】
前記酸生成手段は、前記有機酸を酢酸に変換することを特徴とする請求項２に記載の排水処理システム。
【請求項４】
前記嫌気性処理手段は、前記自己造粒菌が自己凝集したグラニュールを使用するＥＧＳＢであることを特徴とする請求項２又は３に記載の排水処理システム。
【請求項５】
前記廃液は、食物残渣を含む廃液であり、
前記酸生成手段の前に、前記廃液中の残渣を裁断して除去し、可溶化し、液化する液化手段を備え、
前記液化手段で液化された廃液を前記酸生成手段に送ることを特徴する請求項２から４に記載の排水処理システム。
【請求項６】
前記廃液は、油分を含む廃液であり、
前記酸生成手段の前に、前記廃液の前記油分を凝集浮上処理する凝集手段と、前記凝集手段で凝集された前記油分を含む廃液を濾過して脱水する脱水手段とを備え、
前記脱水手段で得られる濾過液を前記酸生成手段に送ることを特徴とする請求項２から４のいずれかに記載の排水処理システム。
【請求項７】
前記脱水手段で脱水により排出される脱水ケーキを乾燥させる乾燥手段をさらに備える請求項６に記載の排水処理システム。
【請求項８】
前記嫌気性処理手段で分離された処理水を曝気し汚泥を沈殿させる好気性処理手段と、
前記好気性処理手段で分離された処理水を濾過して浄化する濾過手段とをさらに備えることを特徴とする請求項２から７のいずれかに記載の排水処理システム。
【発明の詳細な説明】
【技術分野】
【０００１】
本発明は、高分子有機物を含む廃液からエネルギーを回収する排水処理方法及び排水処理システムに関する。
【背景技術】
【０００２】
従来、産業排水の嫌気性処理（メタン発酵）は、好気性処理（活性汚泥法）に比べて曝気が不要なため、電力消費量が少なく、余剰汚泥の発生量が少ないうえ、発生するメタンガスを回収して発電やボイラーに利用できることから、広く普及している。嫌気性処理装置としては、ＥＧＳＢ（Expanded Granular Sludge Bed）やＵＡＳＢ（Upflow Anaerobic Sludge Blanket）がある。
【０００３】
非特許文献１には、加温無しに低温で嫌気性処理を行う無加温メタン発酵処理技術が提案されている。これは低濃度有機物を含む産業排水の排水処理に適しているが、高濃度有機物を含む産業排水には適していない。
【０００４】
このような嫌気性処理システムは、高いメタン回収効果があるものの、元来低濃度有機物を含む排水であるため回収されるメタンガスは燃料として少ないため、メタンガスによる発電で得られるエネルギーの効率的な利用や、排水処理過程で得られる排熱等の余剰エネルギーの回収は不十分である。
【０００５】
また、廃液には食物残渣や、パームオイル等の油分を含む場合があり、このような生物阻害性物質はＥＧＳＢにおける嫌気性処理の機能を低下させる。このため、生物阻害物質を含む廃液は、生物阻害物質を除去するだけで排水していた。
【０００６】
特許文献１には、生ごみ等の有機性廃棄物をメタン発酵する前に可溶化するメタン発酵前処理装置が記載されているが、生ごみ中に混在するビニル、プラスチック、繊維、割り箸、貝殻、骨、種、砂等の発酵不適物を選別機や可溶化槽、スクリーンによって除去するので、発酵不適物とともに可溶化液の多くが分離され、可溶化液が減少するという問題がある。
【先行技術文献】
【特許文献】
【０００７】
【特許文献１】特許第５７５８１１０号明細書
【非特許文献】
【０００８】
【非特許文献１】ＥＧＳＢ法による飲料系工場排水の無加温メタン発酵処理技術の開発，藤本典之ほか，土木学会論文集Ｇ（環境），Ｖｏｌ．６９，Ｎｏ．７、III 623 III 630, 2013
【発明の概要】
【発明が解決しようとする課題】
【０００９】
本発明は前記従来の問題点に鑑みてなされたもので、メタンガスによる発電で得られるエネルギーを効率的に利用することができ、排水処理過程で得られる排熱等の余剰エネルギーを十分に回収することができうえ、生物阻害性物質を含む廃液でも確実に嫌気性処理することができる排水処理方法及び排水処理システムを提供することを課題とする。
【課題を解決するための手段】
【００１０】
前記課題を解決するために、本発明に係る排水処理方法は、
廃水処理システムにおける排水処理方法であって、
高分子有機物を含む廃液を第１の熱交換手段で加熱し、
前記第１の熱交換手段で加熱された廃液中の前記高分子有機物を有機酸に分解し、
前記有機酸を自己造粒菌と反応させてバイオガスと処理水を生成するとともに、前記バイオガスと前記処理水を前記自己造粒菌から分離し、
前記バイオガスをエネルギー源として発電手段に送り、
前記処理水を排水する前に第２の熱交換手段で加熱し、
前記第２の熱交換手段で加熱された処理水を加熱側流体として前記第１の熱交換手段に供給して排水する一方、前記発電手段で得られる熱水を加熱側流体として前記第２の熱交換手段に供給して前記発電手段に戻し、
前記発電手段で発電された電力は、前記排水処理システム内で使用することを特徴とする。
【００１１】
また、本発明に係る排水処理システムは、
高分子有機物を含む廃液を加熱する第１の熱交換手段と、
前記第１の熱交換手段で加熱された廃液中の前記高分子有機物を有機酸に分解する酸生成手段と、
前記酸生成手段で生成された有機酸を自己造粒菌と反応させてバイオガスと処理水を生成するとともに、前記バイオガスと前記処理水を前記自己造粒菌から分離する嫌気性処理手段と、
前記嫌気性処理手段で分離されたバイオガスをエネルギー源として発電する発電手段と、
前記嫌気性処理手段で分離された処理水を排水する前に加熱する第２の熱交換手段とを備えた排水処理システムであって、
前記第２の熱交換手段で加熱された処理水を前記第１の熱交換手段の加熱側流体とし、前記発電手段で得られる熱水を前記第２の熱交換手段の加熱側流体とし、
前記発電手段で発電された電力は、前記排水処理システム内で使用されることを特徴とする。
【００１２】
本発明では、高分子有機物を含む廃液を第１の熱交換手段で加熱し、嫌気性処理手段で分離された処理水を第２の熱交換手段で加熱し、第２の熱交換手段で加熱された処理水を第１の熱交換手段の加熱側流体とし、発電手段で得られる熱水を第２の熱交換手段の加熱側流体とするので、メタンガスによる発電で得られるエネルギーを効率的に利用することができ、排水処理過程で得られる排熱等の余剰エネルギーを十分に回収することができる。
【００１３】
前記酸生成手段は、前記有機酸を酢酸に変換するものである。
【００１４】
前記嫌気性処理手段は、前記自己造粒菌が自己凝集したグラニュールを使用するＥＧＳＢであることが好ましい。
【００１５】
前記廃液は、食物残渣を含む廃液であり、
前記酸生成手段の前に、前記廃液中の残渣を裁断して除去し、可溶化し、液化する液化手段を備え、
前記液化手段で液化された廃液を前記酸生成手段に送る。
【００１６】
前記廃液は、油分を含む廃液であり、
前記酸生成手段の前に、前記廃液の前記油分を凝集浮上処理する凝集手段と、前記凝集手段で凝集された前記油分を含む廃液を濾過して脱水する脱水手段とを備え、
前記脱水手段で得られる濾過液を前記酸生成手段に送る。
【００１７】
前記脱水手段で脱水により排出される脱水ケーキを乾燥させる乾燥手段をさらに備える。
【００１８】
前記嫌気性処理手段で分離された処理水を曝気し汚泥を沈殿させる好気性処理手段と、
前記好気性処理手段で分離された処理水を濾過して浄化する濾過手段とをさらに備える。
【発明の効果】
【００１９】
請求項１の発明によれば、廃液中の高分子有機物を分解して得られる有機酸を自己造粒菌と反応させてバイオガスと処理水を生成し、該処理水を排水する前に第２の熱交換手段で加熱し、第２の熱交換手段で加熱された処理水を加熱側流体として第１の熱交換手段に供給して排水する一方、バイオガスをエネルギー源とする発電手段で得られる熱水を加熱側流体として第２の熱交換手段に供給するので、メタンガスによる発電で得られるエネルギーを効率的に利用することができ、排水処理過程で得られる排熱等の余剰エネルギーを十分に回収することができる。また、発電手段で発電された電力を排水処理システム内で使用するので、外部の電力を使用する必要がなく、発電で得られるエネルギーを本排水システム内で効率的に利用することができる。
【００２０】
請求項２の発明によれば、嫌気性処理手段で分離された処理水を加熱する第２の熱交換手段の過熱側流体として、発電手段で得られる熱水を使用し、高分子有機物を含む廃液を加熱する第１の熱交換手段の過熱側流体として、第２の熱交換手段で加熱された処理水を使用するので、嫌気性処理手段で分離されたメタンガスによる発電で得られるエネルギーを効率的に利用することができ、排水処理過程で得られる排熱等の余剰エネルギーを十分に回収することができる。
【００２１】
請求項３の発明によれば、廃液中の高分子有機物を分解して得られる有機酸を酸生成手段で酢酸に変換するので、酢酸からメタンガスへの転換率が高く、発電へのエネルギー原として十分に利用することができる。
【００２２】
請求項４の発明によれば、嫌気性処理手段として、自己造粒菌が自己凝集したグラニュールを使用するＥＧＳＢを使用するので、高濃度の排水を高速で処理することができ、曝気が不要なことから消費電力が少なく、汚泥の発生が少ない。
【００２３】
請求項５の発明によれば、酸生成手段の前に廃液中の食物残渣を裁断して除去し、可溶化し、液化する液化手段を備えるので、食物残渣に含まれる高分子有機物を酸生成手段で有機酸に変換することができ、食物残渣の廃棄が容易になるとともに、食物残渣に含まれる高分子有機物を有効に利用することができる。また、生物阻害性物質である食物残渣を含む廃液でも嫌気性処理により確実に排水処理することができる。
【００２４】
請求項６の発明によれば、酸生成手段の前に、廃液に含まれる油分を凝集浮上処理する凝集手段と、凝集手段で凝集された油分を含む廃液を濾過して脱水する脱水手段とを備えるので、油分の廃棄及び利用が容易になるとともに、生物阻害物質である油分が除去された廃液に含まれる高分子有機物を酸生成手段で有機酸に変換し、バイオガスの生成に有効に利用することができる。また、生物阻害性物質である油分を含む廃液でも嫌気性処理により確実に排水処理することができる。
【００２５】
請求項７の発明によれば、脱水手段で脱水により排出される脱水ケーキを乾燥させる乾燥手段を備えるので、脱水後の脱水ケーキを堆肥化して肥料等に再利用することができる。
【００２６】
請求項８の発明によれば、嫌気性処理手段で分離された処理水を曝気し汚泥を沈殿させる好気性処理手段と、好気性処理手段で分離された処理水を濾過して浄化する濾過手段とを備えるので、処理水を浄水として再利用することができる。
【図面の簡単な説明】
【００２７】
【図１】本発明の第１実施形態による排水処理システムの概略構成図。
【図２】本発明の第２実施形態による食物残渣を含む廃液の排水処理システムの概略構成図。
【図３】本発明の第３実施形態による油分を含む廃液の排水処理システムの概略構成図。
【図４】本発明の第４実施形態による油分を含む廃液の排水処理システムの概略構成図。
【図５】通水試験におけるＣＯＤの除去率を示すグラフ。
【図６】通水試験におけるバイオガスの組成を示すグラフ。
【発明を実施するための形態】
【００２８】
以下、本発明の実施形態を添付図面に従って説明する。
【００２９】
図１は、本発明の第１実施形態に係る排水処理システム１ａを示す。本システム１ａは、主な構成要素として、第１熱交換器２と、酸生成槽３と、嫌気性処理手段としてのＥＧＳＢ反応槽４と、発電装置５と、第２熱交換器６とを備えている。
【００３０】
第１熱交換器２は、工場等からの高分子有機物を含む廃液（原水）をＥＧＳＢ反応槽４からの処理水との熱交換により加熱するもので、シェルアンドチューブ型、二重管型、コイル型等各種の熱交換器を使用することができる。工場等からの廃液は一般に１０〜２０℃であるため、これを約３５℃まで加熱する。
【００３１】
第１熱交換器２で加熱された廃液は、加温槽７を介して酸生成槽３に送られる。加温槽７は、第１熱交換器２で加熱された廃液を所定温度に加温し維持するものである。加温槽７の熱源としては、発電装置５で得られる蒸気又は電気が使用されるが、本システム１ａの立ち上げ時には、排水元の工場等のボイラーで得られる温水や蒸気、あるいは商用電源を用いた電気ヒータが使用される。加温槽７で維持される温度は、酸生成槽３での脂肪酸の生成及びＥＧＳＢ反応槽４での嫌気性微生物（メタン菌）の活性化に最適な３７℃前後であり、３５〜４２℃に制御される。
【００３２】
酸生成槽３は、加温槽７からの廃液を所定時間、所定温度に維持し、廃液中に含まれる多糖類、蛋白、脂肪等の高分子有機物、可溶性浮遊物質（ＳＳ）を低分子化して可溶性とする。低分子有機物は、ヘキソース、ペントース、アミノ酸、グリセリン、アルコール等の有機酸に分解され、該有機酸からプロピオン酸、酪酸、酢酸等の揮発性脂肪酸に変換される。
【００３３】
酸生成槽３で生成された酢酸を含む廃液は、中和装置８を介して移送ポンプ９によりＥＧＳＢ反応槽４に送られる。中和装置８は、水酸化ナトリウムを注入して廃液に含まれる塩酸を中和し、酢酸を含む廃液を中性域に調整する。
【００３４】
ＥＧＳＢ反応槽４は、下部のグラニュール床１０と、該グラニュール床１０の上方の気固液分離装置１１とを有する。グラニュールは、嫌気性微生物が１ｍｍ〜２ｍｍの米粒状又は球状に自己造粒したものである。ＥＧＳＢ反応槽４は、酸生成槽３からの酢酸を含む廃液がグラニュール床１０に導入され、線速度１〜５ｍ／ｍ２で上昇し循環する間に、グラニュールと混合接触して、酢酸（ＣＨ３ＣＯＯＨ）を嫌気性反応させて、メタンガス（ＣＨ４）と、水（Ｈ２Ｏ）と、炭酸ガス（ＣＯ２）を生成する。気固液分離装置１１は、グラニュールと水を分離するとともに、バイオガスを効率的に集気する。
【００３５】
分離されたグラニュールは外部に流出することなく、内部を循環する。分離された水は、酸生成槽３に戻されて循環するとともに、一部は処理水としてなってＥＧＳＢ反応槽４から取り出され、汚泥処理装置１２に送られる。メタンガスと二酸化炭素は、バイオガスとして取り出され、脱硫装置１３を介してガスホルダ１４に送られる。
【００３６】
脱硫装置１３は、ＥＧＳＢ反応槽４から取り出されたバイオガス中に含まれる硫化水素を脱硫剤により除去する装置である。
【００３７】
ガスホルダ１４は、ＥＧＳＢ反応槽４から取り出されたバイオガスを貯蔵する。
【００３８】
発電装置５は、ガスホルダ１４から供給されるバイオガスを燃料とするボイラ１５と、該ボイラ１５で発生する蒸気で回転するタービン１６と、該タービン１６の回転を電力に変換する発電機１７とを備えている。タービン１６の排気は、復水器１８で凝縮して凝縮水となり、該凝縮水は、給水ポンプ１９により、第２熱交換器６を経てボイラ１５に戻される。
【００３９】
ＥＧＳＢ反応槽４で分離された水を含む処理水は、汚泥処理装置１２を介して放流水として排水される。汚泥処理装置１２は、曝気槽と沈殿槽からなる好気性汚泥処理の代表例である活性汚泥処理、あるいは、膜分離活性汚泥処理（ＭＢＲ）でもよい。汚泥処理装置１２の処理水の一部は、第２熱交換器６に送られる。あるいは、図１中２点鎖線で示すように、ＥＧＳＢ反応槽４からの処理水を直接第２熱交換器６に送ってもよい。
【００４０】
第２熱交換器６は、汚泥処理装置１２又はＥＧＳＢ反応槽４からの処理水を発電装置５の復水器１８からの凝縮水（熱水）との熱交換により加熱するもので、シェルアンドチューブ型、二重管型、コイル型等各種の熱交換器を使用することができる。第２熱交換器６は、汚泥処理装置１２又はＥＧＳＢ反応槽４からの処理水を３８℃に加熱する。第２熱交換器６で加熱された処理水は、第１熱交換器２に工場等からの廃液の加熱側流体として送られる。
【００４１】
前記実施形態の排水処理システム１ａは、実施例として、排水量１０００ｍ３／ｄ、流入ＣＯＤ濃度６０００ｍｇ／ｌの原水から１８９０ｍ３／ｄのメタンガスを生成し、６３８９Ｋｗｈ／ｄの発電量を得ることができた。
【００４２】
発電装置５で発電された電力は、蓄電器２０に蓄電され、加温槽７の電気ヒータの電源、酸生成槽３からＥＧＳＢ反応槽４への移送ポンプ９、ＥＧＳＢ反応槽４の循環ポンプ、発電装置５内の給水ポンプ１９等の電源として使用される。また、発電装置５のボイラ１５で発生する蒸気は、加温槽７、酸生成槽３、ＥＧＳＢ反応槽４等の加熱源として使用される。さらに、発電装置５の復水は、第２熱交換器６の加熱側流体として使用され、ＥＧＳＢ反応槽４の処理水は第１熱交換器２の加熱側流体として利用される。このように、本実施形態の排水処理システム１ａは、電源、加熱源が完全自立したシステムとなる。
【００４３】
本発明の高分子有機物を含む廃液は、ビール、酒造、清涼飲料水、食品加工、惣菜、乳業、乳製品、ソース、醤油その他の発酵食品、精糖、甘味料、調味料、菓子、製パン、製餡、水産加工、紙、パルプ、製薬、化学工業、繊維工業等の工場からの廃液を含む。
【００４４】
図２は、本発明の第２実施形態に係る排水処理システム１ｂを示す。図２の排水処理システム１ｂは、野菜、惣菜等の食物残渣を含む廃液の排水処理に適したものである。本排水処理システム１ｂは、酸生成槽３より上流側、好ましくは第１熱交換器２の上流側に前処理装置として、裁断装置２１と液化装置２２を含む。
【００４５】
裁断装置２１は、廃液中に含まれる野菜、惣菜等の食物残渣を切断してすり潰し、絞って除去する。液化装置２２は、食物残渣が除去され可溶化した廃液を液化する。液化された廃液は、第１熱交換器２に送られ、第１実施形態と同様に処理される。
【００４６】
このように、食物残渣を含む廃液は食物残渣が除去され液化されているので、ＥＧＳＢ反応槽４で堆積、閉塞してグラニュールによる嫌気性処理を妨げることがない。
【００４７】
図３は、本発明の第３実施形態に係る排水処理システム１ｃを示す。図３の排水処理システム１ｃは、油分を含む廃液、特にＳＳ（浮遊物）やｎ−ｈｅｘ（ノルマルヘキサン抽出物質）が多いパームオイルを含む廃液の排水処理に適したものである。
【００４８】
本排水処理システム１ｃは、酸生成槽３より上流側、好ましくは第１熱交換器２の上流側に前処理装置として、凝集装置２３、浮上装置２４、脱水装置２５を含む。
【００４９】
凝集装置２３は、原水に高分子凝集剤、ＰＨ調整剤を注入して、ＳＳやn−ｈｅｘを凝集させる。浮上装置２４は、凝集装置２３で凝集したＳＳやｎ−ｈｅｘを浮上させ、系外に排出する。脱水装置２５は、浮上装置２４の処理水を脱水して、脱水ケーキと処理水に分離する。脱水装置２５の処理水は、第１熱交換器２に送られ、第１実施形態と同様に処理される。脱水装置２５は、鶴見ポンプ（株）製のマルチディスクデハイドレータＪＤシリーズが好ましい。なお、浮上装置２４を設けずに、凝集装置２３で凝集処理された原水を直接脱水装置２５で脱水することもできる。
【００５０】
このように、油分特にパームオイルを含む原水は、ＳＳやｎ−ｈｅｘが分離されて回収されるので、ＥＧＳＢ反応槽４で堆積、閉塞してグラニュールによる嫌気性処理を妨げることがない。
【００５１】
図４は、本発明の第４実施形態に係る排水処理システム１ｄを示す。図４の排水処理システム１ｄは、図３の第３実施形態に係る排水処理システム１ｄの脱水装置２５で得られた脱水ケーキの第１リサイクル系と、汚泥処理装置１２で処理された処理水の第２リサイクル系とを備えたものである。なお、この第４実施形態では、第３実施形態で使用されていた凝集装置２３と脱水装置２５の間の浮上装置２４は無く、凝集装置２３で凝集処理された原水は直接脱水装置２５に送られる。
【００５２】
脱水装置２５で得られた脱水ケーキは、乾燥装置２６に搬送され、ここで、発電装置５のボイラ１５で発生する蒸気により加熱されて乾燥される。乾燥された脱水ケーキは、家畜糞、おがくず等とともに堆肥化の原料となり、野菜生育用の肥料として再利用することができ、またバイオ燃料としてバイオガスとともにボイラ１５等の燃料として再利用することができる。
【００５３】
汚泥処理装置１２は、曝気槽と該曝気槽に浸漬された平膜等の分離膜とからなる膜分離活性汚泥処理装置（ＭＢＲ）であり、ＥＧＳＢ反応槽４の処理水を曝気して分離膜を介して固液分離する好気性生物処理を行う。生物処理された水は、濾過装置２７に送られ、ここで濾過される。濾過装置２７としては、用途に応じて精密ろ過、限外濾過、又は逆浸透（ＲＯ）等が使用される。濾過された浄水は、放流されることなく、工業用水や飲料水として再利用することができる。
【００５４】
本発明者らは、パームオイル排水に対する本発明の排水処理システムの処理能力を確認するための通水試験を行った。試験装置は、図４に示す排水処理システム１ｄの発電装置５及び熱交換器２，６を除いた装置を用い、下記設定条件で運転した。原水のパームオイル排水は、試験期間中、試験装置の近辺で使用できるものを利用したため、様々な負荷条件を設定した。例えば、下記は負荷条件の一例である。
【表１】
0006857374.tif 000002
【００５５】
ＥＧＳＢ反応槽の設定条件
試料の通水量：２６Ｌ／ｄ（１．１Ｌ／ｈ）
反応層容積：１５０ｍｍΦ×２，０００ｍｍＨ（３５Ｌ）
グラニュール量：１．０６ｋｇ（高さ１，２００ｍｍ）
滞留時間：３１時間
【００５６】
試験装置にパームオイル排水を数か月間通水し、ＥＧＳＢ処理前後のＣＯＤ、バイオガス回収量を測定するとともに、回収したバイオガスを分析し、ＣＯＤ除去率、バイオガス組成のデータを収集した。（図５参照）。ＣＯＤ除去率は、処理前のパームオイル排水のＣＯＤに対するＥＧＳＢ処理後のＣＯＤの比から求めた。
【００５７】
比較対象として、消化槽処理装置を使用した。
消化槽処理装置の設定条件：
試料の通水量：８．５Ｌ／ｄ（０．４Ｌ／ｈ）
反応層容積：３５０ｍｍΦ×１，０００ｍｍＨ（９６Ｌ）
消化汚泥量：１．５４ｋｇ（高さ８００ｍｍ）
滞留時間：２７２時間（１１日）
【００５８】
消化槽処理装置の負荷条件は、表２の通りであった。
【表２】
0006857374.tif 000003
【００５９】
比較例の消化槽処理装置によるＣＯＤ除去率は、おおむね６０％前後で、消化槽方式での平均的な処理能力であった。
これに対し、本発明のＥＧＳＢ反応槽によるＣＯＤ除去率は、図５に示すように、比較例の消化槽処理におけるＣＯＤ除去率６０％よりも大きい、平均８０％程度を達成することができた。バイオガス回収量は、平均１８５Ｌ／ｄであった。また回収したバイオガスにおけるメタンガス（ＣＨ４）の割合は、図６に示すように平均７０％以上を確認することができた。この結果、本発明の排水処理システムはパームオイル排水に対し十分に適応能力があることが確認された。
【００６０】
本発明は、前記実施形態に限るものではなく、特許請求の範囲に記載した発明の範囲内で種々変更することができる。
【産業上の利用可能性】
【００６１】
本発明の排水処理方法及び排水処理システムは、ビール、酒造、清涼飲料水、食品加工、惣菜、乳業、乳製品、ソース、醤油その他の発酵食品、精糖、甘味料、調味料、菓子、製パン、製餡、水産加工、紙、パルプ、製薬、化学工業、繊維工業等の工場からの廃液の排水処理に利用することができる。
【符号の説明】
【００６２】
１ａ，１ｂ，１ｃ，１ｄ  廃水処理システム
２  第１熱交換器
３  酸生成槽
４  ＥＧＳＢ反応槽
５  発電装置
６  第２熱交換器
７  加温槽
８  中和装置
９  移送ポンプ
１０  グラニュール床
１１  気固液分離装置
１２  汚泥処理装置
１３  脱硫装置
１４  ガスホルダ
１５  ボイラ
１６  タービン
１７  発電機
１８  復水器
１９  給水ポンプ
２０  蓄電器
２１  裁断装置
２２  液化装置
２３  凝集装置
２４  浮上装置
２５  脱水装置
２６  乾燥装置
２７  濾過装置
【要約】
メタンガスによる発電で得られるエネルギーを効率的に利用することができ、排水処理過程で得られる排熱等の余剰エネルギーを十分に回収することができうえ、生物阻害性物質を含む廃液でも確実に嫌気性処理する。高分子有機物を含む廃液を加熱する第１の熱交換器２と、第１の熱交換器１で加熱された廃液中の高分子有機物を有機酸に分解する酸生成槽３と、酸生成槽３で生成された有機酸を自己造粒菌と反応させてバイオガスと処理水を生成するとともに、バイオガスと処理水を自己造粒菌から分離するＥＧＳＢ反応槽４と、ＥＧＳＢ反応槽で分離されたバイオガスをエネルギー源として発電する発電装置５と、ＥＧＳＢ反応槽で分離された処理水を排水する前に加熱する第２の熱交換器６とを備える。第２の熱交換器６で加熱された処理水を第１の熱交換器２の加熱側流体とし、発電装置５で得られる熱水を第２の熱交換器６の加熱側流体とする。【図１】
0006857374.tif 000004
【図２】
0006857374.tif 000005
【図３】
0006857374.tif 000006
【図４】
0006857374.tif 000007
【図５】
0006857374.tif 000008
【図６】
0006857374.tif 000009